(57)【要約】【課題】火炎による防火ガラスの軟化収縮時に、積極的にガラス端部を保持できる防火ガラスの保持構造を提供する。【解決手段】火災時の熱により防火ガラス２０自体が軟化し、板ばね片５０の押付係合端５３ａがガラス２０表面に食い込む。軟化によりガラス２０がガラス中央方向へ収縮するに伴い，板ばね片５０は押付係合端５３ａがガラス表面に食い込んだ状態でガラス中央に向けて弾性的に変形し、防火ガラス２０の周辺部を積極的に気密材１８方向に押圧移動させて、ガラス２０周辺部の押圧保持状態を維持する。【選択図】  図４
2004278120.tif 000002
【特許請求の範囲】
【請求項１】
防火ガラスの周辺部を防火戸の枠体と押縁との間に挟み込んで押縁側から防火ガラスを弾性押付手段により受け保持材を介して枠体に押し付けて保持する防火ガラスの支持構造において、弾性押付手段を、押縁の表側片に取り付けられる取付片部と、取付片部に対して鋭角を成し、防火ガラス中央方向から離れる方向に延びると共に防火ガラスに向かって突出する押付係合片部とを備えた断面ほぼＬ字の板ばね材とし、その押付係合片部先端を防火ガラス面への押付係合端とすると共に，押縁には押縁取り付け状態において押付係合片部の背面を押圧して押付係合片部を防火ガラス中央方向に押す押し部材を設け、火災時の高温により防火ガラスが軟化収縮した際に、前記押付係合片部の弾性力により、防火ガラスに係合している押付係合端が防火ガラスに対してその中央方向に向けて移動するとともに防火ガラスを枠体に押し付けるように構成したことを特徴とする防火ガラスの支持構造。
【請求項２】
板ばね材は、上記取付片部と、取付片部から防火ガラスの中央側に向かうにつれて取付片部から徐々に離れる屈曲変形部と、その屈曲変形部に連続して取付片部に対して鋭角を成す押付係合片部とを備えていることを特徴とする請求項１記載の防火ガラスの支持構造。
【請求項３】
板ばね材は所定幅の板ばね片であり、押縁の長手に沿って押縁の表側片内面に板ばね片の取付片部を挟んで固着される押し部材には、前記板ばね片の押付係合片部の中間部が貫通する透孔が形成され、押縁取り付け状態において、透孔縁部が板ばね片の押付係合片部の背面を押圧するように構成したことを特徴とする請求項２記載の防火ガラスの支持構造。
【請求項４】
押縁にはその長手方向に係止片を備え、防火戸には押縁の前記係止片と係止して、押縁ごと板ばね片を防火ガラス方向に押し付けるガイド孔を形成したことを特徴とする請求項４に記載の防火ガラスの支持構造。
【請求項５】
防火戸には、防火ガラスの周辺部と対応して開口枠を設け、その開口枠に、押縁から対応する開口枠方向に突設した鉤状の係止片を案内して、押縁を防火ガラス方向にガイドして係止するガイド孔を形成したことを特徴とする請求項４記載の防火ガラスの支持構造。
【発明の詳細な説明】
【０００１】
【発明の属する技術分野】
この発明は、防火戸に対する防火ガラスの支持構造に係るものである。
【０００２】
【従来の技術】
従来、特許文献１や特許文献２には、防火戸の枠体と押縁との間に挟み込んで押縁側から防火ガラスを弾性押付手段により枠体に押し付けるようにして保持する防火ガラスの支持構造が開示されている。特許文献１の図８には、押縁に嵌め込まれた嵌合部の先端が半円弧に屈曲された弾性押圧部となっており、その弾性押圧部でガラス板の面をセッティングブロックに向けて押し付けてガラス板を保持する弾性押付手段が開示されている。
【０００３】
【特許文献１】
特開平８−１５８７４９号公報（図８）
【特許文献２】
特開昭６１−１４３８４号公報
【０００４】
【発明が解決しようとする課題】
上記弾性押圧部材により防火ガラスを支持する構成によれば、その弾性押圧部材の弾性力により、防火ガラスが軟化もしくは軟化しつつある状況においてもガラス周辺部を挟持状態に保持することができ、枠部からガラス板が落下することが防止し易くなる。
しかしながら、その防火ガラス板に弾性押圧部材による弾性力と反対方向の力が加わると、弾性押圧部材が変形してガラス保持力を失ってしまうおそれがある。また、上記防火ガラスは火災時に単に軟化するのみならず、ガラス板の中央方向に収縮することが知られており，特許文献１のもののように、押縁に嵌め込まれた嵌合部の先端が半円弧に屈曲された弾性押圧部となっているだけのものでは、弾性押圧部がガラス面に食い込めずガラス板がその中央方向に縮むことで枠から外れるおそれがある。そのような外れ防止のために、ガラスに食い込むような多数の突起を形成した例も特許文献１には記載があるが、このような突起を形成することは製造上わずらわしいなどの問題がある。
この発明は、より大きな弾性力で防火ガラスを受け止め部材側に押し付けて、より大きな反対側からの外力が作用しても防火ガラスを確実に保持し、しかも、火災時において防火ガラスが軟化して収縮しても、ガラス板周辺部を一層確実に保持できる防火ガラスの保持構造を提供するものである。
【０００５】
【課題を解決するための手段】
上記課題解決のため、本願支持構造は、防火ガラスの周辺部を防火戸の枠体と押縁との間に挟み込んで押縁側から防火ガラスを弾性押付手段により受け保持材を介して枠体に押し付けて保持する防火ガラスの支持構造において、弾性押付手段を、押縁の表側片に取り付けられる取付片部と、取付片部に対して鋭角を成し、防火ガラス中央方向から離れる方向に延びると共に防火ガラスに向かって突出する押付係合片部とを備えた断面ほぼＬ字の板ばね材とし、その押付係合片部先端を防火ガラス面への押付係合端とすると共に，押縁には押縁取り付け状態において押付係合片部の背面を押圧して押付係合片部を防火ガラス中央方向に押す押し部材を設け、火災時の高温により防火ガラスが軟化収縮した際に、前記押付係合片部の弾性力により、防火ガラスに係合している押付係合端が防火ガラスに対してその中央方向に向けて移動するとともに防火ガラスを枠体に押し付けるように構成したことを特徴とする。
この構成では、常態では押付係合片部が弾性的に防火ガラスに押し当てられ、その状態で、押し部材により押付係合片部の背面を押付係合片部の撓み方向と反対方向に押し戻すため、より大きな弾性力で押付係合片部を防火ガラスに作用させることができて、防火ガラスを一層確実に保持できる。また、火災時に防火ガラスが軟化収縮することに伴って、押付係合片部がその弾性力により移動して先端の押付係合端がガラス表面に食い込んでガラスの周辺部を積極的に枠体方向に押し付け、ガラス周辺部を確実に保持する。
【０００６】
板ばね材は、上記取付片部と、取付片部から防火ガラスの中央側に向かうにつれて取付片部から徐々に離れる屈曲変形部と、その屈曲変形部に連続して取り付け片部に対して鋭角を成す押付係合片部とを備えていると好ましい。この構成では、板ばね材を取り付けた押縁を板ばね材の押付係合片部の先端を防火ガラスに押し付けつつ防火戸に取り付けるに際し、まず屈曲変形部が容易に撓み、その後に押付係合片部が大きな弾性力を発生しつつ撓むので、押縁の取り付け作業の前半の工程が容易となる。
具体的には、板ばね材は所定幅の板ばね片であり、押縁の長手に沿って押縁の表側片内面に板ばね片の取付片部を挟んで固着される押し部材には、前記板ばね片の押付係合片部の中間部が貫通する透孔が形成され、押縁取り付け状態において、透孔縁部が板ばね片の押付係合片部の背面を押圧するように構成した。
【０００７】
押縁にはその長手方向に係止片を備え、防火戸には押縁の前記係止片と係止して、押縁ごと板ばね片を防火ガラス方向に押し付けるガイド孔を形成した。具体的には、防火戸には、防火ガラスの周辺部と対応して開口枠を設け、その開口枠に、押縁から対応する開口枠方向に突設した鉤状の係止片を案内して、押縁を防火ガラス方向にガイドして係止するガイド孔を形成した。
この構成では、防火戸のガイド孔に押縁の係止片を係止することで、押縁を防火ガラス方向にガイドして板ばね片の押付係合端を防火ガラスに押圧でき、押し縁を防火戸に取り付けるための取付螺子が不要である。
【０００８】
【発明の実施の形態】
図１は本願ガラス支持構造により防火ガラス２０を取り付けた防火戸１の正面図である。防火戸１は上下左右の力骨２ａ，２ｂ、３ａ，３ｂと上下方向の２本の中骨４，５を間に挟んで、表裏に枠板６，７が貼り付けて構成されている。表裏の枠板６，７には中骨４，５の間に矩形の開口部８，９が設けてあり、裏側の枠板７の開口部９は、表側の枠板６の開口部８より一回り小さくなっている。開口部８と対応する中骨４，５部分を左右の縦の開口枠１２，１３とし、表側の枠板６の開口部８の上下に合わせて上下の開口枠１０、１１が裏側の枠板７との間に挟まれて取り付けてあり（図３）、それらの開口枠１０〜１３の内側面で囲まれてガラス取付開口部１５が構成されている。裏側の枠体７の開口部９の四周部は、開口枠１０〜１３の内側面より、夫々所定量、後述する防火ガラス２０の中央方向に向けて突出しており、それらの突出部分は防火ガラス２０が気密材１８を介して押し付けられる枠体１４ａ〜１６ａとなっている。
上記枠体１４ａ〜１６ａの内側面（防火ガラス２０方向面）１７には、受け保持材としての気密材１８が開口部９の四周に亘って連続するように設けてある。気密材１８として、ここでは片面糊付き発泡クロロプレンゴムが貼り付けているが、他の受け部材，例えばセラミックファイバーリボンのような耐火性にすぐれるものでもよい。この気密材１８の気密面１９に防火ガラス２０の一側面の四周周辺部を当て付け、その状態で弾性押付手段により押縁２４，２４Ａ側から防火ガラス２０を気密材１８に向けて押圧保持している。
【０００９】
この押圧保持構造について、防火ガラス２０の右辺部で説明する。なお、右辺部と左辺部とでは、左右が対象となっているのみで全く同じ構造である。上下方向に長い押縁２４Ａは図４に示すように、表側片３５とその表側片３５の右開口枠方向端３５ａをガラス方向に直角に屈曲した屈曲部３６と前後方向片２６Ａとから成るガラス方向を開口した概ねコの字断面となっており、更に前記屈曲部３６の先端（ガラス方向端）には、上下（長手）方向に所定ピッチで、対応する右側の開口枠１３方向に屈曲された複数の鉤状の係止片３８が一体に形成されている。押縁２４Ａの内側空間には、弾性押圧部材としての板ばね片５０が押し部材６０を介して一体に固着されている。板ばね片５０は、所定の上下方向幅を有し、前記押縁２４Ａの表側片３５の内面に取り付けられる取付片部５１と、取付片部５１から防火ガラス２０の面に沿う方向でガラス中央側に向かうにつれて取付片部５１から徐々に離れて行く屈曲変形部５２と、その屈曲変形部５２に連続して取付片部５１に対して鋭角を成し、防火ガラス２０の中央方向から離れる方向（開口枠１３方向）に延びると共に防火ガラス２０に向かって突出する押付係合片部５３とを備えた断面ほぼＬ字の板ばね材である。押付係合片部５３の先端は防火ガラス面への平坦な押付係合端５３ａとなっている。
【００１０】
一方，押縁２４Ａには押縁取り付け状態において押付係合片部５３の長手中間部の背面と当接して押付係合片部５３を防火ガラス中央方向に押す押し部材６０が設けてある。押し部材６０は、押縁２４Ａの長さより少しばかり短い上下長さであって、前記取付片部５１を押縁２４Ａの表側片３５内面との間で挟持する挟持部６１と挟持部６１からガラス２０方向に所定距離おいて設けた押し板部６２とを備えた”つ”字状断面を成している。押し板部６２には、上下方向に所定間隔で、前記押付係合片部５３が貫通する矩形の透孔６３が複数設けてある。透孔６３のガラス側縁部のうち、右の開口枠１３方向の縁部６４は、押縁２４Ａを取り付けた状態（図４）において、押付係合片部５３の背面を押圧して押付係合片部５３を防火ガラス中央方向に押し戻してより弾性力を増す役目を成し、縁部６４よりガラス２０方向に突出している押付係合片部５３部分を更に屈曲させている。
【００１１】
一方、右側の開口枠１３には、前記係止片３８が係合するガイド孔３９が上下方向に前記係止片３８と同じ所定ピッチで係止片３８と同数設けてある。ガイド孔３９は図５に示すように、係止片３８をガイド孔３９に差込んで上方から落とし込んだときに、前記係止片３８の表側面３８ｂを案内して係止片３８をガラス方向に移動させて板ばね片５０の押付係合端５３ａをガラス２０に押し付けるための下窄まりとなったガイド面４０を有している。ガイド孔３９に係止片３８が係合して板ばね片５０を押し付けた状態では、係止片３８下端の引っ掛け部３８ａがガイド孔３９の下縁部に係合し、表側片３５の右開口枠方向端３５ａが前板６の開口部８の右縁に当接しており（図４）、押縁２４Ａの下端がガラス下辺部を支持する下側の押縁２４の前後方向片２６の上面に載置されて、押縁２４Ａの下、前後、左右位置が定められる。押縁２４Ａの上方向位置は、上側の押縁２４の前後方向片２６の下端で規制される（図２）。こうして防火ガラス２０の左右辺部を取り付けるための押縁２４Ａは、螺子を使わないで対応する開口枠１２，１３に取り付けられる。
【００１２】
防火ガラス２０の上辺部でも左右辺部と同様な弾性押付構造が採用されている（図２）。断面が”つ”の字になっている押し部材６０，押し部材６０に形成されている透孔６３、押縁２４の表側片２５内面に、取付片部５１が挟持される板ばね片５０は、全く同じである。左右片部との相違は，押縁２４の断面形状とその取り付け方法であり、表側枠板６に装着される装着片２５とそれより防火ガラス２０方向に直角に曲げられた前後方向片２６とから構成される。前後方向片２６の下端面は前記裏側開口部９の上縁と一致する高さ位置にある。押縁２４は、装着片２５の上部を表側枠板６に螺子２９で固着され、固着状態では、板ばね片５０の押付係合片部５３先端がガラス２０に押し付けられる。
【００１３】
防火ガラス２０の下辺部では、けい酸カルシュームからなるガラスクッション３０を介して防火ガラス２０の下端が下側開口枠１１上に載置され、そのように載置された防火ガラス２０の下辺部に対して、上記と同じ（ただし、上下が反対になっている）押縁２４によりガラス下辺部を下側の気密材１８を介して下側の枠体１５ａに押圧保持している。上、左右の各辺部における各板ばね片５０の押付係合片部５３の撓み量は，気密材１８としてここで使用したクロロプレンゴムが、火災時の高温で焼失してしまうので、その押付係合端５３ａの撓みＬ１がクロロプレンゴムの厚みＬよりも大きくなるようにしてある（図４，６）。図６にはガラス２０の右辺部で示すが、上片部、左辺部も同様である。
【００１４】
防火ガラス２０は、まず、気密材１８を裏側枠体１４ａ，１５ａ，１６ａの内側面１７に開口部９の四周を取り囲んで連続して貼り付け、そのあと、防火ガラス２０下辺部をガラスクッション３０を介して下側の開口枠１１に支持し、その状態で、下側の押縁２４を螺子２９で取り付けて防火ガラス２０の下辺部を支持する。次いで、複数の板ばね片５０を押し部材６０を介してネジ７０で固着して、押し部材６０の透孔６３から板ばね片５０の押付係合片部５３を突出した状態の左右の押縁２４Ａを、係合部３８とガイド孔３９の係合を介して左右の開口枠１２，１３に取り付ける。
係合部３８をガイド孔３９に沿わせて降下させる時，板ばね片５０が防火ガラス２０に押されて屈曲変形部５２が変形して押縁２４Ａの表側片３５の内面にほぼ接する位置まで変形するが、屈曲変形部５２は取付片部５１に対して小さな角度（１０度）を成しているだけであるから、比較的小さな力で変形する。そのため、押縁２４Ａの取り付けに際し，図７の状態から図４の取り付け状態とするときの取り付け前半の工程において、比較的、取り付け作業が行ないやすい。
係合部３８をガイド孔３９に沿わせて降下させると，最終的には図４のように、押付係合片部５３が自由状態（図４）からさらに開口枠１３方向（ガラス２０の中央から離れる方向）に変形して、押付係合片部５３の背面が透孔６３の縁部６４に圧接して縁部６４よりガラス２０方向部分がさらに僅かに屈曲される。このように、押付係合片部５３の中間部から先端にかけて縁部６４を中心に屈曲されることで透孔６３から突出する部分のばね力がさらに大きくなり，結果として，押縁２４Ａを取り付けた状態では、ガラスの周囲は，板ばね片５０による大きな弾性力で枠体１４ａ〜１６ａに向けて押し付けられる。
そして最後に、板ばね片５０を押し部材６０で固着した上辺部の押縁２４を螺子２９で止めて防火ガラス２０の取り付けが完了する。防火ガラス２０をこのように取り付けると、防火ガラス２０の四周辺部とこれに対向する枠部１４ａ〜１６ａとの間は気密材１８で連続してシールされるので、火災初期に発生する煙がこのガラス支持部分から進入してくることがない。
【００１５】
また、火災時の火炎により防火戸１が高温にさらされると、防火ガラス２０自体が軟化してくる。ガラス２０の軟化に伴い、ガラス２０の周辺部表面も軟化してくるため、板ばね片５０の押付係合端５３ａがガラス表面に食い込んだ状態となる。これと合い前後して気密材１８が熱により徐々に焼失してくる。この状態でガラスが軟化によりガラス中央方向へ収縮すると、板ばね片５０は押付係合端５３ａがガラス表面に食い込んだ状態でその弾性によりガラス中央方向に向けて移動し，これによって押付係合端５３ａが、防火ガラス２０の周辺部を積極的に気密材１８方向に押圧移動させて、ガラス周辺部の押圧保持状態を維持する。気密材１８が完全に焼失したとしても、押付係合端５３ａの移動により防火ガラス２０が枠体１４ａ〜１６ａに直接押し付けられるため（図６）、軟化したガラス２０の周辺部が抜け落ちることはなく、炎を防ぐことができる。
【００１６】
【発明の効果】
以上のように本願では、常態では押付係合片部が弾性的に防火ガラスに押し当てられ、その状態で、押し部材６０により押付係合片部の背面を押付係合片部の撓み方向と反対方向に押し戻すため、より大きな弾性力で押付係合片部を防火ガラスに作用させることができて、防火ガラスを一層確実に保持できる。また、火災時に防火ガラスが軟化収縮することに伴って、押付係合片部がその弾性力により移動して先端の押付係合端がガラス表面に食い込んでガラスの周辺部を積極的に枠体方向に押し付けるため、ガラス周辺部を確実に保持でき、ガラスの落下を防止できる。
【図面の簡単な説明】
【図１】防火戸の正面図である。
【図２】ガラスの右辺部を中心とした拡大正面図である。
【図３】図１のＩＩＩ−ＩＩＩ線断面拡大図である。
【図４】図２のＩＶ−ＩＶ線断面図である。
【図５】図４のＶ−Ｖ線断面図である。
【図６】作用説明図である。
【図７】押縁の取り付け作業を説明する図である。
【符号の説明】
１  防火戸
１０〜１３  開口枠
１４ａ・１５ａ・１６ａ  枠体
１８  気密材（受け保持材）
２０  防火ガラス
２４・２４Ａ  押縁
２５・３５  押縁の表側片
３８  係止片
３９  ガイド孔
５０  板ばね片
５１  取付片部
５２  屈曲変形部
５３  押付係合片部
５３ａ  押付係合端
６０  押し部材
６３  透孔
６４  縁部
【図１】
2004278120.tif 000003
【図２】
2004278120.tif 000004
【図３】
2004278120.tif 000005
【図４】
2004278120.tif 000006
【図５】
2004278120.tif 000007
【図６】
2004278120.tif 000008
【図７】
2004278120.tif 000009